(57)【要約】【課題】ユーザを広告に確実に注目させることができる、広告解除キーを知る者には広告なしで目的情報を提供できる、といった効果を示す広告情報提供装置を提供する。【解決手段】プログラムされたコンピュータによる広告情報提供装置であって、目的情報と広告解除キーと認証キーと広告情報を情報記録媒体から読み取る読み取り手段、広告解除キーや認証キーを入力する入力手段、広告解除や認証キーを記憶する記憶手段、認証キーまたは目的情報を出力する出力手段、広告情報中の認証キーを選択して記憶する選択手段、最初に広告解除キーが入力された場合は目的情報の出力を行ない、そうでない場合は広告情報と認証キーの出力を行ない、広告解除キーまたは認証キーが入力された場合に目的情報の出力を行うように制御する制御手段、により構成される。【選択図】        図１
2004185280.tif 000002
【特許請求の範囲】
【請求項１】
プログラムされたコンピュータによる広告情報提供装置であって、
目的情報と広告解除キーと認証キーと広告情報を情報記録媒体から読み取る読み取り手段、
広告解除キーや認証キーを入力する入力手段、
広告解除キーや認証キーを記憶する記憶手段、
認証キーまたは目的情報を出力する出力手段、
広告情報中の認証キーを選択して記憶する選択手段、
最初に広告解除キーが入力された場合は目的情報の出力を行ない、そうでない場合は広告情報と認証キーの出力を行ない、広告解除キーまたは認証キーが入力された場合に目的情報の出力を行なうように制御する制御手段、
を備えることを特徴とする広告情報提供装置。
【請求項２】
前記入力手段は、
認証キーとして音声を入力する入力手段であることを特徴とする前記請求項１記載の広告情報提供装置。
【請求項３】
前記入力手段は、
認証キーとして手書きサインを入力する入力手段であることを特徴とする前記請求項１記載の広告情報提供装置。
【請求項４】
前記出力手段は、
画像を表示する出力手段であることを特徴とする前記請求項１記載の広告情報提供装置。
【請求項５】
前記出力手段は、
音声を出力する出力手段であることを特徴とする前記請求項１記載の広告情報提供装置。
【請求項６】
前記選択手段は、
乱数により広告情報中の認証キーを選択して記憶する選択手段であることを特徴とする前記請求項１記載の広告情報提供装置。
【請求項７】
前記制御手段は、
認証キーの入力に時間制限を設ける制御手段であることを特徴とする前記請求項１記載の広告情報提供装置。
【請求項８】
前記制御手段は、
認証キーの出力を広告情報出力の任意の位置に挿入する制御手段であることを特徴とする前記請求項１記載の広告情報提供装置。
【請求項９】
プログラムされたコンピュータによる広告情報提供方法であって、
目的情報と広告解除キーと認証キーと広告情報を情報記録媒体から読み取る読み取り工程、
広告解除キーや認証キーを入力する入力工程、
広告解除キーや認証キーを記憶する記憶工程、
認証キーまたは目的情報を出力する出力工程、
広告情報中の認証キーを選択して記憶する選択工程、
最初に広告解除キーが入力された場合は目的情報の出力を行ない、そうでない場合は広告情報と認証キーの出力を行ない、広告解除キーまたは認証キーが入力された場合に目的情報の出力を行なうように制御する制御工程、
を含むことを特徴とする広告情報提供方法。
【請求項１０】
前記入力工程は、
認証キーとして音声を入力する入力工程であることを特徴とする前記請求項９記載の広告情報提供方法。
【請求項１１】
前記入力工程は、
認証キーとして手書きサインを入力する入力工程であることを特徴とする前記請求項９記載の広告情報提供方法。
【請求項１２】
前記出力工程は、
画像を表示する出力工程であることを特徴とする前記請求項９記載の広告情報提供方法。
【請求項１３】
前記出力工程は、
音声を出力する出力工程であることを特徴とする前記請求項９記載の広告情報提供方法。
【請求項１４】
前記選択工程は、
乱数により広告情報中の認証キーを選択して記憶する選択工程であることを特徴とする前記請求項９記載の広告情報提供方法。
【請求項１５】
前記制御工程は、
認証キーの入力に時間制限を設ける制御工程であることを特徴とする前記請求項９記載の広告情報提供方法。
【請求項１６】
前記制御工程は、
認証キーの出力を広告情報出力の任意の位置に挿入する制御工程であることを特徴とする前記請求項９記載の広告情報提供方法。
【請求項１７】
コンピュータに、
目的情報と広告解除キーと認証キーと広告情報を情報記録媒体から読み取る読み取り処理、
広告解除キーや認証キーを入力する入力処理、
広告解除キーや認証キーを記憶する記憶処理、
認証キーまたは目的情報を出力する出力処理、
広告情報中の認証キーを選択して記憶する選択処理、
最初に広告解除キーが入力された場合は目的情報の出力を行ない、そうでない場合は広告情報と認証キーの出力を行ない、広告解除キーまたは認証キーが入力された場合に目的情報の出力を行なうように制御する制御処理、
を実行させる広告情報提供処理を行なうプログラム。
【請求項１８】
前記入力処理は、
認証キーとして音声を入力する入力処理であることを特徴とする前記請求項１７記載の広告情報提供処理を行なうプログラム。
【請求項１９】
前記入力処理は、
認証キーとして手書きサインを入力する入力処理であることを特徴とする前記請求項１７記載の広告情報提供処理を行なうプログラム。
【請求項２０】
前記出力処理は、
画像を表示する出力処理であることを特徴とする前記請求項１７記載の広告情報提供処理を行なうプログラム。
【請求項２１】
前記出力処理は、
音声を出力する出力処理であることを特徴とする前記請求項１７記載の広告情報提供処理を行なうプログラム。
【請求項２２】
前記選択処理は、
乱数により広告情報中の認証キーを選択して記憶する選択処理であることを特徴とする前記請求項１７記載の広告情報提供処理を行なうプログラム。
【請求項２３】
前記制御処理は、
認証キーの入力に時間制限を設ける制御処理であることを特徴とする前記請求項１７記載の広告情報提供処理を行なうプログラム。
【請求項２４】
前記制御処理は、
認証キーの出力を広告情報出力の任意の位置に挿入する制御処理であることを特徴とする前記請求項１７記載の広告情報提供処理を行なうプログラム。
【請求項２５】
コンピュータに、
目的情報と広告解除キーと認証キーと広告情報を情報記録媒体から読み取る読み取り処理、
広告解除キーや認証キーを入力する入力処理、
広告解除キーや認証キーを記憶する記憶処理、
認証キーまたは目的情報を出力する出力処理、
広告情報中の認証キーを選択して記憶する選択処理、
最初に広告解除キーが入力された場合は目的情報の出力を行ない、そうでない場合は広告情報と認証キーの出力を行ない、広告解除キーまたは認証キーが入力された場合に目的情報の出力を行なうように制御する制御処理、
を実行する広告情報提供処理を行なうプログラムを格納したコンピュータが読み出し可能な記憶媒体。
【請求項２６】
前記入力処理は、
認証キーとして音声を入力する入力処理であることを特徴とする前記請求項２５記載の広告情報提供処理を行なうプログラムを格納したコンピュータが読み出し可能な記憶媒体。
【請求項２７】
前記入力処理は、
認証キーとして手書きサインを入力する入力処理であることを特徴とする前記請求項２５記載の広告情報提供処理を行なうプログラムを格納したコンピュータが読み出し可能な記憶媒体。
【請求項２８】
前記出力処理は、
画像を表示する出力処理であることを特徴とする前記請求項２５記載の広告情報提供処理を行なうプログラムを格納したコンピュータが読み出し可能な記憶媒体。
【請求項２９】
前記出力処理は、
音声を出力する出力処理であることを特徴とする前記請求項２５記載の広告情報提供処理を行なうプログラムを格納したコンピュータが読み出し可能な記憶媒体。
【請求項３０】
前記選択処理は、
乱数により広告情報中の認証キーを選択して記憶する選択処理であることを特徴とする前記請求項２５記載の広告情報提供処理を行なうプログラムを格納したコンピュータが読み出し可能な記憶媒体。
【請求項３１】
前記制御処理は、
認証キーの入力に時間制限を設ける制御処理であることを特徴とする前記請求項２５記載の広告情報提供処理を行なうプログラムを格納したコンピュータが読み出し可能な記憶媒体。
【請求項３２】
前記制御処理は、
認証キーの出力を広告情報出力の任意の位置に挿入する制御処理であることを特徴とする前記請求項２５記載の広告情報提供処理を行なうプログラムを格納したコンピュータが読み出し可能な記憶媒体。
【発明の詳細な説明】
【０００１】
【発明の属する技術分野】
本発明は、広告情報提供装置および、広告情報提供方法および、広告情報提供処理を行なうプログラムおよび、広告情報提供処理を行なうプログラムを格納したコンピュータが読み出し可能な記憶媒体に関するものである。
【０００２】
【従来の技術】
従来、広告情報提供装置および、広告情報提供方法および、広告情報提供処理を行なうプログラムおよび、広告情報提供処理を行なうプログラムを格納したコンピュータが読み出し可能な記憶媒体に類似する技術としては、「端末画面に広告等を強制表示するＷＷＷサーバシステム（特開２００１−８４２０８号公報）」に示されているように、「登録ユーザが端末装置からリモートアクアセスサーバに接続したことを認証サーバの認証履歴を用いて判定し、認証後一定時間の間または認証後一定時間毎に、当該ユーザが要求したデータの代りに、プロキシサーバ側にてあらかじめ設定しておいたデータをプロキシサーバからリモートアクセスサーバを経て当該ユーザの端末装置に送出するようにした点」を特徴とする技術、「情報配布媒体、および情報配布方法（特開平１０−１１３６３号公報）」に示されているように、「キー情報なしで表示可能な公開情報領域と、キー情報がないと表示できない非公開情報領域と、キー情報格納領域と、ユーザ情報格納領域と、媒体ＩＤ格納領域」を特徴とする技術、「映像表示制御装置（第２８４７３４４号）」に示されているように、「映像表示制御装置の処理が終了してから一定時間をカウントする時間計測手段と、広告を含む画像の画像データを記憶する画像データ記憶手段と、時間計測手段により一定時間がカウントされてから、映像表示制御装置に入力があるまでの間、画像データを画像データ記憶手段から読み出して表示装置に広告出力を行なう画像データ出力手段」を特徴とする技術、があった。
【０００３】
【発明が解決しようとする課題】
しかしながら、上記従来例では、認証後に広告が強制表示されるだけではユーザを広告に確実に注目させるのが困難、広告内容と認証が無関係ではユーザを広告に確実に注目させるのが困難、広告内容を見ていなくてもキー入力があれば解除できてしまうのでは広告に注目させられない、といった課題があった。
【０００４】
【課題を解決するための手段】
上記課題を解決するために、請求項１記載の発明は、プログラムされたコンピュータによる広告情報提供装置であって、目的情報と広告解除キーと認証キーと広告情報を情報記録媒体から読み取る読み取り手段、広告解除キーや認証キーを入力する入力手段、広告解除キーや認証キーを記憶する記憶手段、認証キーまたは目的情報を出力する出力手段、広告情報中の認証キーを選択して記憶する選択手段、最初に広告解除キーが入力された場合は目的情報の出力を行ない、そうでない場合は広告情報と認証キーの出力を行ない、広告解除キーまたは認証キーが入力された場合に目的情報の出力を行なうように制御する制御手段、とを備えて広告情報提供装置を構成した。
【０００５】
請求項２記載の発明は、前記入力手段が、認証キーとして音声を入力する入力手段となるように請求項１に記載の広告情報提供装置を構成した。
【０００６】
請求項３記載の発明は、前記入力手段が、認証キーとして手書きサインを入力する入力手段となるように請求項１に記載の広告情報提供装置を構成した。
【０００７】
請求項４記載の発明は、前記出力手段が、画像を表示する出力手段となるように請求項１に記載の広告情報提供装置を構成した。
【０００８】
請求項５記載の発明は、前記出力手段が、音声を出力する出力手段となるように請求項１に記載の広告情報提供装置を構成した。
【０００９】
請求項６記載の発明は、前記選択手段が、乱数により広告情報中の認証キーを選択して記憶する選択手段となるように請求項１に記載の広告情報提供装置を構成した。
【００１０】
請求項７記載の発明は、前記制御手段が、認証キーの入力に時間制限を設ける制御手段となるように請求項１に記載の広告情報提供装置を構成した。
【００１１】
請求項８記載の発明は、前記制御手段が、認証キーの出力を広告情報出力の任意の位置に挿入する制御手段となるように請求項１に記載の広告情報提供装置を構成した。
【００１２】
【発明の実施の形態】
（実施形態１）
以下、図を参照して本発明の実施形態を説明する。
【００１３】
最初に、本発明の実施形態における広告情報提供装置の基本の機能的な構成をブロック図（図１）を用いて説明する。
【００１４】
１０１は、目的情報と広告解除キーと認証キーと広告情報を情報記録媒体から読み取るための読み取り手段、１０２は、広告解除キーや認証キーを入力するための入力手段、１０３は、広告解除キーや認証キーを記憶するための記憶手段、１０４は、認証キーまたは目的情報を出力するための出力手段、１０５は、広告情報中の認証キーを選択して記憶するための選択手段、１０６は、最初に広告解除キーが入力された場合は目的情報の出力を行ない、そうでない場合は広告情報と認証キーの出力を行ない、広告解除キーまたは認証キーが入力された場合に目的情報の出力を行なうように制御するための制御手段、である。
【００１５】
次に、同装置の具体的なハードウェアの構成をハードウェア構成図（図２）を用いて説明する。
【００１６】
メモリカードリーダ２０１は、目的情報と広告解除キーと認証キーと広告情報を情報記録媒体から読み取るための読み取り手段である。
【００１７】
キーボード２０２は、広告解除キーや認証キーを入力するための入力手段である。
【００１８】
ＲＡＭ２０３は、広告解除キーや認証キーを記憶するための記憶手段である。
【００１９】
液晶ディスプレイ２０４は、認証キーまたは目的情報を出力するための出力手段である。
【００２０】
ＣＰＵ２０５は、広告情報中の認証キーを選択して記憶するための選択手段である。
【００２１】
さらに前記ＣＰＵ２０５は、最初に広告解除キーが入力された場合は目的情報の出力を行ない、そうでない場合は広告情報と認証キーの出力を行ない、広告解除キーまたは認証キーが入力された場合に目的情報の出力を行なうように制御するための制御手段でもある。
【００２２】
次に、同装置のメモリ構成をメモリマップ（図３）を用いて説明する。
【００２３】
制御情報領域領域３０１は、制御手段の制御手順があらかじめ記憶されているメモリ領域である。
【００２４】
広告情報領域領域３０２は、読み込んだ広告情報を記憶するメモリ領域である。
【００２５】
広告解除キー領域領域３０３は、読み込んだ広告解除キーを記憶するメモリ領域である。
【００２６】
認証キー領域領域３０４は、読み込んだ認証キーを記憶するメモリ領域である。
【００２７】
入力キー領域領域３０５は、入力されたキーを記憶するメモリ領域である。
【００２８】
次に、同装置のＣＰＵによる広告情報提供処理の手順をフローチャート（図４）を用いて説明する。
【００２９】
ステップＳ４０１は、広告解除処理を行なう。
【００３０】
ステップＳ４０２は、解除成功かを調べ、ＹＥＳであればステップＳ４０９に移行し、そうでなければ次のステップへ移行する。
【００３１】
ステップＳ４０３は、広告情報の読み込みを行なう。
【００３２】
ステップＳ４０４は、広告中のキー情報をランダムに選択して出力を行なう。
【００３３】
ステップＳ４０５は、キー情報入力待ち（タイムアウト付き）を行なう。
【００３４】
ステップＳ４０６は、タイムアウトかを調べ、ＹＥＳであればステップＳ４０４に移行し、そうでなければ次のステップへ移行する。
【００３５】
ステップＳ４０７は、認証処理を行なう。
【００３６】
ステップＳ４０８は、認証成功かを調べ、ＮＯであればステップＳ４０４に移行し、そうでなければ次のステップへ移行する。
【００３７】
ステップＳ４０９は、目的情報出力を行なう。
【００３８】
ここでこの処理を終了する。
【００３９】
次に、同装置のＣＰＵによる広告解除処理の手順をフローチャート（図５）を用いて説明する。
【００４０】
ステップＳ５０１は、広告解除キー情報と一致するかを調べ、ＮＯであれば終了し、そうでなければ次のステップへ移行する。
【００４１】
ステップＳ５０２は、広告解除成功処理を行なう。
【００４２】
ここでこの処理を終了する。
【００４３】
次に、同装置のＣＰＵによる認証処理の手順をフローチャート（図６）を用いて説明する。
【００４４】
ステップＳ６０１は、広告解除キー情報と一致するかを調べ、ＹＥＳであればステップＳ６０３に移行し、そうでなければ次のステップへ移行する。
【００４５】
ステップＳ６０２は、認証キー情報と一致するかを調べ、ＮＯであれば終了し、そうでなければ次のステップへ移行する。
【００４６】
ステップＳ６０３は、認証成功処理を行なう。
【００４７】
ここでこの処理を終了する。
【００４８】
以上のように実施することで、認証後に広告が強制表示されるだけではユーザを広告に確実に注目させるのが困難、広告内容と認証が無関係ではユーザを広告に確実に注目させるのが困難、広告内容を見ていなくてもキー入力があれば解除できてしまうのでは広告に注目させられない、といった上記課題が解決される。
【００４９】
（実施形態２）
本実施形態は、前記入力手段を認証キーとして音声を入力する入力手段として広告情報提供装置を構成したものである。
【００５０】
本実施形態では、広告のキーワードを覚えてもらえるといった特有の効果がある。
【００５１】
（実施形態３）
本実施形態は、前記入力手段を認証キーとして手書きサインを入力する入力手段として広告情報提供装置を構成したものである。
【００５２】
本実施形態では、広告のシンボルマークなどを覚えてもらえるといった特有の効果がある。
【００５３】
（実施形態４）
本実施形態は、前記出力手段を画像を表示する出力手段として広告情報提供装置を構成したものである。
【００５４】
本実施形態では、商品の形状や色など音声では得られない広告情報を表示できるといった特有の効果がある。
【００５５】
（実施形態５）
本実施形態は、前記出力手段を音声を出力する出力手段として広告情報提供装置を構成したものである。
【００５６】
本実施形態では、ＣＭソングなど画像では得られない広告情報を提供できるといった特有の効果がある。
【００５７】
（実施形態６）
本実施形態は、前記選択手段を乱数により広告情報中の認証キーを選択して記憶する選択手段として広告情報提供装置を構成したものである。
【００５８】
本実施形態では、ユーザはどんな広告情報が出力されるのかに注目していないと認証キーが得られないので広告効果を確実にできるといった特有の効果がある。
【００５９】
（実施形態７）
本実施形態は、前記制御手段を認証キーの入力に時間制限を設ける制御手段として広告情報提供装置を構成したものである。
【００６０】
本実施形態では、広告に注目していないと認証キーを入力するタイミングを逃してしまうため、広告に注目させることができるといった特有の効果がある。
【００６１】
（実施形態８）
本実施形態は、前記制御手段を認証キーの出力を広告情報出力の任意の位置に挿入する制御手段として広告情報提供装置を構成したものである。
【００６２】
本実施形態では、広告に注目していないと認証キーを見逃してしまうため、広告に注目させることができるといった特有の効果がある。
【００６３】
【発明の効果】
以上の説明から明らかなように、本発明によれば、ユーザを広告に確実に注目させることができる、広告解除キーを知る者には広告なしで目的情報を提供できる、といった効果が得られる。
【図面の簡単な説明】
【図１】本発明の実施形態における広告情報提供装置の基本の機能的な構成を示すブロック図。
【図２】同装置の具体的なハードウェアの構成を示すハードウェア構成図。
【図３】同装置のメモリ構成を示すメモリマップ。
【図４】同装置のＣＰＵによる広告情報提供処理の手順を示すフローチャート。
【図５】同装置のＣＰＵによる広告解除処理の手順を示すフローチャート。
【図６】同装置のＣＰＵによる認証処理の手順を示すフローチャート。
【図７】同装置の実施形態の外観図。
【符号の説明】
１０１  読み取り手段
１０２  入力手段
１０３  記憶手段
１０４  出力手段
１０５  選択手段
１０６  制御手段
２０１  メモリカードリーダ
２０２  キーボード
２０３  ＲＡＭ
２０４  液晶ディスプレイ
２０５  ＣＰＵ
３０１  制御情報領域
３０２  広告情報領域
３０３  広告解除キー領域
３０４  認証キー領域
３０５  入力キー領域
【図１】
2004185280.tif 000003
【図２】
2004185280.tif 000004
【図３】
2004185280.tif 000005
【図４】
2004185280.tif 000006
【図５】
2004185280.tif 000007
【図６】
2004185280.tif 000008
【図７】
2004185280.tif 000009